【手続補正書】
【提出日】平成17年6月15日(2005.6.15)
【手続補正１】
【補正対象書類名】明細書
【補正対象項目名】全文
【補正方法】変更
【補正の内容】
【書類名】        明細書
【発明の名称】    止水機構付給水具
【特許請求の範囲】
【請求項１】  水栓にホースを介して接続される給水具本体に、ホースからの一次側流路と吐水口に通じる二次側流路よりなる通水流路を形成する縦穴を設けるとともに、この縦穴に交差する横穴を設け、前記両流路を連通させる吐水状態と前記両流路を遮断させる止水状態とに切り換える略柱状のスピンドルを前記横穴に摺動可能に挿通させてなり、さらに、前記スピンドルはこの軸のまわりに切り欠き部を有し、前記スピンドルを、吐水状態では前記切り欠き部が前記両流路に連通するように摺動させる一方、止水状態では前記スピンドルの周面部が前記両流路を遮断するように摺動させるのであり、しかも、前記一次側流路および二次側流路のいずれか一方または両方に、吐水状態においては前記切り欠き部に対向し、止水状態においては前記周面部により閉塞される開口が形成されている筒状体を有することを特徴とする止水機構付給水具。
【請求項２】  水栓にホースを介して接続される給水具本体に、ホースからの一次側流路と吐水口に通じる二次側流路よりなる通水流路を形成する縦穴を設けるとともに、この縦穴に交差する横穴を設け、前記両流路を連通させる吐水状態と前記両流路を遮断させる止水状態とに切り換える略柱状のスピンドルを前記横穴に摺動可能に挿通させてなり、さらに、前記スピンドルは軸方向に直角な径方向に貫通穴を有し、前記スピンドルを、吐水状態では前記貫通穴が前記両流路に連通するように摺動させる一方、止水状態では前記スピンドルの周面部が前記両流路を遮断するように摺動させるのであり、しかも、前記一次側流路および二次側流路のいずれか一方または両方に、吐水状態においては前記貫通穴に対向し、止水状態においては前記周面部により閉塞される開口が形成されている筒状体を有することを特徴とする止水機構付給水具。
【請求項３】  ハンドシャワ、あるいは、散水ノズルである請求項１または請求項２に記載の止水機構付給水具。
【発明の詳細な説明】
【０００１】
【発明の属する技術分野】
本発明は、給水具本体に設けられたスピンドルを摺動操作して止水状態と吐水状態とに切り換えることが可能な新規な止水機構付給水具に関する。
【０００２】
【従来の技術】
給水具としての従来の止水機構付ハンドシャワとして、水栓にホースを介して接続されるシャワ本体に、ホースからの一次側流路と吐水口に通じる二次側流路よりなる通水流路を形成する縦穴を設けるとともに、この縦穴に交差する横穴を設け、前記両流路を連通させる吐水状態と前記両流路を遮断させる止水状態とに切り換える柱状のスピンドルを前記横穴に摺動可能に挿通させてなり、さらに、前記スピンドルはこの軸のまわりに切り欠き部を有し、前記スピンドルを、吐水状態では前記切り欠き部が前記両流路に連通するように摺動させる一方、止水状態では前記スピンドルの周面部が前記両流路を遮断するように摺動させるよう構成したものがある。
【０００３】
【発明が解決しようとする課題】                                        しかし、上記の構成からなる従来の止水機構付ハンドシャワでは、前記一次側流路の下流端口を閉塞可能なシール面部が前記スピンドルに設けられており、止水状態とする場合には、スピンドルを摺動させて前記シール面部によって前記下流端口を閉塞するようにしていたが、スピンドルを摺動させて止水状態と吐水状態とに切り換えるという操作が繰り返し行われることによって前記シール面部が磨耗するため、比較的短期間の使用によって、シール性に支障が生じ始めるというおそれがあった。
【０００４】
また、前記スピンドルに設けられたシール面部と前記横穴を形成する壁面との摩擦抵抗が大きかったことから、前記止水状態と吐水状態とに切り換えるためのスピンドルの摺動操作を行うのに必要な力が大きくなり、操作性の悪いものとなっていた。
【０００５】
一方、例えば、一般家庭の園芸等に用いられる従来の止水機構付散水ノズルでも同様の問題があった。
【０００６】
すなわち、本出願人は、下流端に弁体が固定され上流側からスプリングにより下流方向に付勢することでグリップの筐体内部に供給流路を形成する長尺の筒体を設け、前記弁体が弁座に当接する閉弁状態と、流量操作レバーの押圧操作により前記スプリングの付勢力に抗して筒体が開方向に移動して弁体が弁座から離間する開弁状態とに切り替えるように構成した散水ノズルを提案している（特願平１１−３３６８２６号の図面、明細書参照）けれども、流量操作レバーの押圧操作や筒体の移動あるいは水圧の変化などが原因で偏った力が筐体および筒体間の複数箇所に設けたＯリングにかかり、Ｏリングの磨耗が早く、長期間にわたってシール性を確保できなかった。更に、水圧が大きく変化した場合などは、流量操作レバーの押圧操作が硬く、スプリングの荷重のみでは軽く操作ができなかった。
【０００７】
本発明は上述の事柄に留意してなされたもので、その目的は、長期間にわたってシール性を確保でき、かつ操作性の良好な止水機構付給水具を提供することである。
【０００８】
【課題を解決するための手段】
上記目的を達成するために、本発明の止水機構付給水具は、水栓にホースを介して接続される給水具本体に、ホースからの一次側流路と吐水口に通じる二次側流路よりなる通水流路を形成する縦穴を設けるとともに、この縦穴に交差する横穴を設け、前記両流路を連通させる吐水状態と前記両流路を遮断させる止水状態とに切り換える略柱状のスピンドルを前記横穴に摺動可能に挿通させてなり、さらに、前記スピンドルはこの軸のまわりに切り欠き部を有し、前記スピンドルを、吐水状態では前記切り欠き部が前記両流路に連通するように摺動させる一方、止水状態では前記スピンドルの周面部が前記両流路を遮断するように摺動させるのであり、しかも、前記一次側流路および二次側流路のいずれか一方または両方に、吐水状態においては前記切り欠き部に対向し、止水状態においては前記周面部により閉塞される開口が形成されている筒状体を有する（請求項１）。
【０００９】
また、水栓にホースを介して接続される給水具本体に、ホースからの一次側流路と吐水口に通じる二次側流路よりなる通水流路を形成する縦穴を設けるとともに、この縦穴に交差する横穴を設け、前記両流路を連通させる吐水状態と前記両流路を遮断させる止水状態とに切り換える略柱状のスピンドルを前記横穴に摺動可能に挿通させてなり、さらに、前記スピンドルは軸方向に直角な径方向に貫通穴を有し、前記スピンドルを、吐水状態では前記貫通穴が前記両流路に連通するように摺動させる一方、止水状態では前記スピンドルの周面部が前記両流路を遮断するように摺動させるのであり、しかも、前記一次側流路および二次側流路のいずれか一方または両方に、吐水状態においては前記貫通穴に対向し、止水状態においては前記周面部により閉塞される開口が形成されている筒状体を有するとしてもよい（請求項２）。
【００１０】
上記の構成により、長期間にわたってシール性を確保でき、かつ操作性の良好な止水機構付給水具を提供することが可能となる。
【００１１】
【発明の実施の形態】
以下、この発明の実施例を、図を参照しながら説明する。
図１は、本発明の第一実施例に係る止水機構付ハンドシャワ（以下、ハンドシャワという）Ｄの構成を概略的に示す透視斜視図、図２は、前記ハンドシャワＤの構成を概略的に示す縦断面図、図３は、ハンドシャワＤの要部の構成を概略的に示す斜視図である。
ハンドシャワ（給水具の一例）Ｄは、ホースＨからの一次側流路１と吐水口３に通じる二次側流路２よりなる通水流路を形成する縦穴４と、この縦穴４に交差する横穴５と、この横穴５を摺動可能に挿通し、前記両流路１，２を連通させる吐水状態と前記両流路１，２を遮断させる止水状態とに切り換えられる略柱状のスピンドル６と、前記一次側流路１の下流端部１ａ内に、流路方向に摺動可能な状態で、かつ付勢手段７によってスピンドル６側（下流側）に付勢された状態で配置される筒状体８と、前記二次側流路２の上流端部２ａ内に、流路方向に摺動可能な状態で、かつ付勢手段９によってスピンドル６側（上流側）に付勢された状態で配置される筒状体１０とを、水栓（図示せず）にホースＨを介して接続されるシャワ本体１１に設けてなる。
【００１２】
前記横穴５は、例えばシャワ本体１１の左右方向に設けられ、前記縦穴４に直角に交差している。
【００１３】
前記スピンドル６は、先端に抜け止め部材１２ａを備えた止水用ボタン部１２を一端に有するとともに、先端に抜け止め部材１３ａを備えた吐水用ボタン部１３を他端に有し、また、前記止水用ボタン部１２から中央側に向けては、シール部材（例えばＯリング）１４およびシール面部１５がこの順で設けられる一方、前記吐水用ボタン部１３から中央側に向けては、シール部材（例えばＯリング）１６および切り欠き部１７がこの順で設けられている。そして、前記シール面部１５と切り欠き部１７とは隣接した状態となっている。
【００１４】
前記止水用ボタン部１２に対する抜け止め部材１２ａの固定および吐水用ボタン部１３に対する抜け止め部材１３ａの固定は、適宜の方法で行えばよく、例えば、ともに螺着によって行われていてもよいし、抜け止め部材１２ａ，１３ａのいずれか一方がボタン部１２，１３と一体に設けられており、他方が螺着によってボタン部１２，１３に固定されていてもよい。
【００１５】
前記止水用ボタン部１２と吐水用ボタン部１３は、常にいずれか一方が側方へ突出した状態となっており、他方がシャワ本体１１の内部へ押し込まれた状態となる。
【００１６】
前記切り欠き部１７は、スピンドル６の外壁を軸まわりに切り欠いた形状に形成されている。
【００１７】
上記の構成からなるスピンドル６は、例えば、略円柱形状（断面が楕円形状のものも含む），略多角柱形状（略角柱形状，略三角柱形状等）などをしている。また、例えば、その中央部分（前記シール部材１４，１６よりも中央側の部分、すなわちシール面部１５および切り欠き部１７）と両端部（前記シール部材１４，１６よりも外側の部分、すなわち止水用ボタン部１２および吐水用ボタン部１３）との形状が異なっていてもよい。
【００１８】
前記付勢手段７は、例えばスプリングであり、一端が後述する筒状体８の突出部分８ｂに当接し、他端が一次側流路１の上流端部１ａ内に設けられた保持部材７ａに当接して保持されるように構成されており、これにより、付勢手段７は、筒状体８をスピンドル６側へ常時付勢することになる。
【００１９】
前記筒状体８は、ほぼ円筒形状の部材であり、外面にシール部（例えばＯリング）１８を有するとともに、前記シール面部１５の周面部により閉塞される開口８’を有する端面８ａが湾曲形状に形成されている。また、筒状体８の内壁には、内側へ突出する突出部分８ｂが設けられている。
【００２０】
前記付勢手段９は、前記付勢手段７と同一のもの（例えばスプリング）であり、一端が後述する筒状体１０の突出部分１０ｂに当接し、他端が二次側流路２の下流端部２ａ内に設けられた保持部材９ａに当接して保持されるように構成されており、これにより、付勢手段９は、筒状体１０をスピンドル６側へ常時付勢することになる。
【００２１】
前記筒状体１０は、前記筒状体８と同一のものであり、詳しくは、ほぼ円筒形状の部材であり、外面にシール部（例えばＯリング）１８を有するとともに、前記シール面部１５の周面部により閉塞される開口１０’を有する端面１０ａが湾曲形状に形成されている。また、筒状体１０の内壁には、内側へ突出する突出部分１０ｂが設けられている。
【００２２】
次に、上記の構成からなるハンドシャワＤの動作について説明する。
まず、前記止水用ボタン部１２が押されている状態では、前記スピンドル６は止水状態となる位置に停止しており、このとき、前記シール面部１５の周面部が前記両流路１，２を遮断することになる。
【００２３】
すなわち、前記止水用ボタン部１２が押されてスピンドル６が止水状態となっているときには、シール面部１５の周面部に、前記筒状体８の前記開口８’を有する端面８ａと筒状体１０の前記開口１０’を有する端面１０ａとが当接した状態となり、各端面８ａ，１０ａはシール面部１５の周面部に密着可能となる湾曲形状となっていることから、前記開口８’，１０’は前記周面部により閉塞されることとなる。そのため、シャワ本体１１の上流に設けられた水栓からシャワ本体１１へ送られた湯水は、一次側流路１の下流端部１ａの筒状体８内に至ったところで、筒状体８の端面８ａに当接する前記スピンドル６のシール面部１５に妨げられて、それより下流側へ向かうことがない。なお、万が一、前記水栓からの湯水が、前記筒状体８の下流側へ向かったとしても、スピンドル６のシール面部１５の周面部に当接する二次側流路２の上流端部２ａの筒状体１０の端面１０ａに妨げられ、それより下流側へ向かうことがない。
【００２４】
そして、前記止水用ボタン部１２が押されている状態から前記吐水用ボタン部１３が押されている状態に切り換わると、前記スピンドル６は摺動して吐水状態となる位置に停止し、このとき、前記切り欠き部１７が前記両流路１，２に連通することになる。
【００２５】
すなわち、前記吐水用ボタン部１３が押されてスピンドル６が吐水状態となっているときには、スピンドル６の前記切り欠き部１７に、前記筒状体８の開口８’と筒状体１０の開口１０’とがそれぞれ対向した状態となり、シャワ本体１１の上流に設けられた水栓からシャワ本体１１へ送られた湯水は、一次側流路１の下流端部１ａの筒状体８内に至った後、切り欠き部１７を経て、二次側流路２の上流端部２ａの筒状体１０内を通り、そのまま二次側流路２の下流側へ向かい、吐水口３から吐出されることになる。
【００２６】
上記の構成からなるハンドシャワＤでは、前記横穴５を形成する壁面に対してこの横穴５内を摺動するスピンドル６が接触する部分は、主に前記シール部材１４，１６のみであることから、横穴５を形成する壁面とスピンドル６との摩擦抵抗は小さくなり、スピンドル６の摺動操作を比較的小さな力で行うことができ、操作性が良好となる。
【００２７】
また、上記の構成からなるハンドシャワＤでは、縦穴４内を流れる湯水が横穴５から漏れることは、縦穴４内に設けられた筒状体８，１０の端面８ａ，１０ａと、横穴５内に設けられたスピンドル６のシール面部１５とを密着させ、開口８’，１０’を閉塞することによって防止されているが、仮に、スピンドル６が横穴５内を繰り返し摺動することによって、互いに当接する前記筒状体８，１０の端面８ａ，１０ａとシール面部１５とが磨耗したとしても、前記筒状体８，１０がスピンドル６側に常時付勢されていることから、スピンドル６のシール面部１５に対する筒状体８，１０の端面８ａ，１０ａの密着は保たれることとなり、これにより、長期間にわたってシール性が確保されることとなる。
【００２８】
図４（Ａ）および（Ｂ）は、本発明の第二実施例に係るハンドシャワＤ2 の要部の構成を概略的に示す縦断面図および斜視図である。なお、上記第一実施例に示したものと同一構造の部材については、同じ符号を付し、その説明を省略する。
第二実施例のハンドシャワＤ2 は、上記第一実施例のハンドシャワＤに比して、前記切り欠き部１７に代えて、貫通穴１９がスピンドル６に設けられている点で主に異なる。
【００２９】
前記貫通穴１９は、例えばスピンドル６の軸方向に直角な径方向に設けられており、貫通穴１９の方向が、前記縦穴４の方向に対して常に平行または同一となるように、前記吐水用ボタン部１３には、スピンドル６をガイドするためのガイド溝２０が設けられている。そして、スピンドル６の摺動は、前記ガイド溝２０が前記シャワ本体１１の適宜の箇所（例えば、横穴５の吐水用ボタン部１３側の開口付近）に形成されたガイド体２１に常にガイドされた状態で行われることから、前記貫通穴１９の方向が、前記縦穴４の方向と常に平行または同一となるように保たれるのである。
【００３０】
なお、前記ガイド溝２０をスピンドル６に設け、ガイド体２１をシャワ本体１１に設ける構成に限るものではなく、例えば、前記ガイド溝２０をシャワ本体１１に設け、前記ガイド体２１をスピンドル６に設けてもよい。また、前記ガイド溝２０およびガイド体２１をそれぞれ複数設けてもよい。さらに、前記ガイド溝２０およびガイド体２１を、吐水用ボタン部１３側に設けずに止水用ボタン部１２側に設けてもよいし、止水用ボタン部１２側および吐水用ボタン部１３側の両方に設けてもよい。
【００３１】
次に、上記の構成からなるハンドシャワＤ2 の動作について説明する。
まず、前記止水用ボタン部１２が押されている状態では、前記スピンドル６は止水状態となる位置に停止しており、このとき、前記シール面部１５の周面部が前記両流路１，２を遮断することになる。
【００３２】
すなわち、前記止水用ボタン部１２が押されてスピンドル６が止水状態となっているときには、シール面部１５の周面部に、前記筒状体８の端面８ａと筒状体１０の端面１０ａとが当接した状態となり、各端面８ａ，１０ａはシール面部１５の周面部に密着可能となる湾曲形状となっていることから、前記開口８’，１０’は前記周面部により閉塞されることとなる。そのため、シャワ本体１１の上流に設けられた水栓からシャワ本体１１へ送られた湯水は、一次側流路１の下流端部１ａの筒状体８内に至ったところで、筒状体８の端面８ａに当接する前記スピンドル６のシール面部１５に妨げられて、それより下流側へ向かうことがない。なお、万が一、前記水栓からの湯水が、前記筒状体８の下流側へ向かったとしても、スピンドル６のシール面部１５の周面部に当接する二次側流路２の上流端部２ａの筒状体１０の端面１０ａに妨げられ、それより下流側へ向かうことがない。
【００３３】
そして、前記止水用ボタン部１２が押されている状態から前記吐水用ボタン部１３が押されている状態に切り換わると、前記スピンドル６は摺動して吐水状態となる位置に停止し、このとき、前記貫通穴１９が前記両流路１，２に連通することになる。
【００３４】
すなわち、前記吐水用ボタン部１３が押されてスピンドル６が吐水状態となっているときには、スピンドル６の前記貫通穴１９に、前記筒状体８の開口８’と筒状体１０の開口１０’とがそれぞれ対向した状態となり、シャワ本体１１の上流に設けられた水栓からシャワ本体１１へ送られた湯水は、一次側流路１の下流端部１ａの筒状体８内に至った後、貫通穴１９を経て、二次側流路２の上流端部２ａの筒状体１０内を通り、そのまま二次側流路２の下流側へ向かい、吐水口３から吐出されることになる。
【００３５】
なお、第二実施例のハンドシャワＤ2 によって得られる効果は、第一実施例のハンドシャワＤによって得られる効果とほとんど同じなのでその説明を省略する。
【００３６】
図５は、本発明の第三実施例に係るハンドシャワＤ3 の構成を概略的に示す分解斜視図である。なお、上記二つの実施例に示したものと同一構造の部材については、同じ符号を付し、その説明を省略する。
第三実施例のハンドシャワＤ3 は、第一実施例のハンドシャワＤに比して、前記一次側流路１の下流端部１ａに設けられていた付勢手段７、保持部材７ａおよび筒状体８と、前記二次側流路２の上流端部２ａに設けられていた付勢手段９、保持部材９ａおよび筒状体１０と、前記横穴５と、この横穴５内に摺動可能に設けられていた前記スピンドル６とからなる止水機構が、シャワ本体１１に対して着脱自在である一つのユニット２２として形成されている点で主に異なる。
【００３７】
前記ユニット２２は、前記止水機構のほか、前記付勢手段７、保持部材７ａおよび筒状体８が内部に配置される一次側接続端部２２ａと、前記付勢手段９、保持部材９ａおよび筒状体１０が内部に配置される二次側接続端部２２ｂとを有している。
【００３８】
前記シャワ本体１１には、ユニット２２を取り付けるための凹入部２３が、前記一次側流路１と二次側流路２との間に形成されている。この凹入部２３には、前記スピンドル６の止水用ボタン部１２および吐水用ボタン部１３を外部に突出可能とする状態で、ユニット２２を嵌め込むことができ、ユニット２２は、凹入部２３に対して適宜の固定手段（例えばネジ部材２４，２４を用いた螺着など）によって固定される。
【００３９】
また、前記凹入部２３内には、前記一次側流路１の下流端１ｂと、前記二次側流路２の上流端（図示せず）とが露出しており、上記のようにユニット２２を凹入部２３に固定した状態では、ユニット２２の前記一次側接続端部２２ａと前記一次側流路１の下流端１ｂとが、例えば図示しないＯリングなどのシール部材を介して接続され、ユニット２２の前記二次側接続端部２２ｂと前記二次側流路２の上流端とが、例えば図示しないＯリングなどのシール部材を介して接続される。
【００４０】
そして、前記ユニット２２が嵌め込まれた状態の凹入部２３は、カバー体２５によって閉塞することができる。なお、凹入部２３に対するカバー体２５の固定は、適宜の方法で行えばよく、例えば、カバー体２５に係止片２６を複数設けておき、これらの係止片２６，２６…を係止可能な被係止部２７，２７…を凹入部２３に設けておけばよい。このように、前記カバー体２５によってユニット２２が嵌め込まれた状態の凹入部２３を覆っておくことにより、ユニット２２に指を挟んだりするおそれがなく、ハンドシャワＤ3 を通常のハンドシャワと同様に安心して扱うことが可能となる。
【００４１】
上記の構成からなるハンドシャワＤ3 では、上記第一実施例のハンドシャワＤによって得られる効果に加えて、前記止水機構のメンテナンスを非常に簡単に行うことができるという効果が得られる。
【００４２】
なお、上記の構成からなるハンドシャワＤ3 において、ユニット２２として形成される止水機構が、上記第一実施例に示した切り欠き部１７ではなく、上記第二実施例に示した貫通穴１９を有するものであってもよい。
【００４３】
図６は、上記第一〜第三実施例に示した筒状体８，１０の変形例の構成を概略的に示す斜視図である。なお、上記全ての実施例に示したものと同一構造の部材については、同じ符号を付し、その説明を省略する。
上記全ての実施例に示した筒状体８，１０をそれぞれ、図６に示す筒状体２８に代えてもよい。この筒状体２８は、前記筒状体８，１０に比して、外周面に水抜き溝２９が設けられている点で主に異なる。
【００４４】
すなわち、前記筒状体２８は、ほぼ円筒形状の部材であり、外面にシール部（例えばＯリング）１８を有するとともに、前記シール面部１５の周面部により閉塞される開口２８’を有する端面２８ａが湾曲形状に形成されている。また、筒状体２８の内壁には、内側へ突出する突出部分（図示せず）が設けられている。
【００４５】
前記水抜き溝２９は、筒状体２８の一方の端面２８ａから他方の端面２８ｃにかけて、筒状体２８の長さ方向に平行に形成されている。また、水抜き溝２９は、前記シール部１８によって遮断されないように、シール部１８を避けて、例えばシール部１８が設けられる部分は他の部分よりも深くなるように形成されている。
【００４６】
ここで、水栓からハンドシャワへ水が送られている状態であって、かつ、ハンドシャワのスピンドル６が止水状態の位置にある場合に、水栓の下流側、すなわちハンドシャワ側の圧力が上昇しすぎると、ハンドシャワの上流側に設けられたホースＨが水栓から突然外れる事故などが生じるおそれがあり、大変危険である。しかし、上記の構成からなる筒状体２８を用いた場合には、ハンドシャワ側の圧力が上昇すると、それを低減するように、ハンドシャワ内の水が、前記水抜き溝２９を通って吐水口３より少量ずつ吐出されることになる。これにより、上述のような事故が起こることを未然に防ぐことができ、ハンドシャワを安全に使うことが可能となる。
【００４７】
なお、上記全ての実施例では、スピンドル６側に常時付勢される筒状体が、一次側流路１および二次側流路２の両方に設けられている例を示しているが、前記筒状体を一次側流路１のみに設けてもよいし、二次側流路２のみに設けてもよい。
【００４８】
図７〜図９は、本発明の第四実施例に係る止水機構付散水ノズルを示す。なお、上記全ての実施例に示したものと同一構造の部材については、同じ符号を付し、その説明を省略する。
【００４９】
図７において、止水機構付散水ノズル（給水具の一例）３０は、例えば、一般家庭の園芸等に用いられるもので、散水ノズル本体３１より主としてなる。この散水ノズル本体３１は、吐水口３９を有するノズルヘッド３２と、グリップ３３と、両者３２，３３を繋ぐ筒部３１ａより構成されている。３５は、水栓に接続される給水ホースで、この給水ホース３５をナット３６に通し、グリップ３３の上流端に設けた給水ホース接続部３７に給水ホース３５を深く差し込み、最後に前記接続部３７に対してナット３６を締め込むことで止水機構付散水ノズル３０に給水ホース３５を接続できる。３４は、流量調整ハンドルである。
【００５０】
前記ノズルヘッド３２は、軸線Ｌのまわりに回動可能に構成されており、六つの散水パターンに切替えできる。図８（Ａ）はシャワーの散水パターンを示し、図８（Ｂ）はフレアーの散水パターンを示し、図８（Ｃ）はストレートの散水パターンを示し、図８（Ｄ）はジョロの散水パターンを示し、図８（Ｅ）はミストの散水パターンを示し、図８（Ｆ）は開放の散水パターンを示す。
【００５１】
そして、上記第一実施例に係る止水機構付ハンドシャワＤで採用したのと同一構成の止水機構５０が前記グリップ３３に設けられている。
【００５２】
すなわち、止水機構付散水ノズル３０は、前記グリップ３３内を上下に貫通する第１の貫通穴（縦穴）（図示せず）によって形成される第１通水流路と、前記筒部３１ａを長手方向に貫通して前記ノズルヘッド３２に至る第２の貫通穴（図示せず）によって形成される第２通水流路と、両貫通穴を連通させる連通口とを有する。
【００５３】
更に、前記縦穴は、給水ホース３５からの一次側流路と前記連通口に通じる二次側流路よりなる一方、前記縦穴に交差する横穴を前記グリップ３３内に有する。
【００５４】
つまり、止水機構付散水ノズル３０の止水機構５０は、前記横穴を摺動可能に挿通し、前記一次側流路と前記二次側流路を連通させる吐水状態と前記一次側流路と前記二次側流路を遮断させる止水状態とに切り換えられる略柱状のスピンドル６と、前記一次側流路の下流端部内に、流路方向に摺動可能な状態で、かつ付勢手段７によってスピンドル６側（下流側）に付勢された状態で配置される筒状体８と、前記二次側流路の上流端部内に、流路方向に摺動可能な状態で、かつ付勢手段９によってスピンドル６側（上流側）に付勢された状態で配置される筒状体１０とを、水栓に給水ホース３５を介して接続される散水ノズル本体３１の前記グリップ３３に設けてなる。なお、５１は、止水機構５０を覆うカバー体で、ビス５２によって前記グリップ３３に取り付けられている。
【００５５】
上記の構成からなる止水機構付散水ノズル３０では、前記横穴を形成する壁面とスピンドル６との摩擦抵抗は小さくなり、スピンドル６の摺動操作を比較的小さな力で行うことができ、操作性が良好となる。
【００５６】
また、前記縦穴内を流れる湯水が前記横穴から漏れることは、前記縦穴内に設けられた筒状体８，１０の端面８ａ，１０ａと、前記横穴内に設けられたスピンドル６のシール面部１５とを密着させ、筒状体８，１０の開口８’，１０’を閉塞することによって防止されているが、仮に、スピンドル６が前記横穴内を繰り返し摺動することによって、互いに当接する前記筒状体８，１０の端面８ａ，１０ａとシール面部１５とが磨耗したとしても、前記筒状体８，１０がスピンドル６側に常時付勢されていることから、スピンドル６のシール面部１５に対する筒状体８，１０の端面８ａ，１０ａの密着は保たれることとなり、これにより、長期間にわたってシール性が確保されることとなる。
【００５７】
なお、上記第四実施例では切り欠き部１７を設けたスピンドル６を示したが、この切り欠き部１７に代えて、図１０に示すような、貫通穴１９をスピンドル６に設けた上記第二実施例と同一構成の止水機構５０を本発明の止水機構付散水ノズル３０に適用できる。
【００５８】
【発明の効果】
上記の構成からなる本発明によれば、長期間にわたってシール性を確保でき、かつ操作性の良好な止水機構付給水具を提供することができる。
【図面の簡単な説明】
【図１】
本発明の第一実施例に係る止水機構付給水具（ハンドシャワ）の構成を概略的に示す斜視図である。
【図２】
上記実施例の構成を概略的に示す縦断面図である。
【図３】
上記実施例の要部の構成を概略的に示す斜視図である。
【図４】
（Ａ）および（Ｂ）は、本発明の第二実施例に係る止水機構付給水具（ハンドシャワ）の要部の構成を概略的に示す縦断面図および斜視図である。
【図５】
本発明の第三実施例に係る止水機構付給水具（ハンドシャワ）の構成を概略的に示す分解斜視図である。
【図６】
上記第一〜第三実施例に示した筒状体の変形例の構成を概略的に示す斜視図である。
【図７】
本発明の第四実施例に係る止水機構付給水具（散水ノズル）の構成を概略的に示す分解斜視図である。
【図８】
第四実施例に係る止水機構付給水具（散水ノズル）の六つの異なる散水パターンを示す図である。
【図９】
上記第四実施例の要部の構成を概略的に示す斜視図である。
【図１０】
上記第四実施例の要部の変形例を概略的に示す斜視図である。
【符号の説明】
１…一次側流路、２…二次側流路、３…吐水口、４…縦穴、５…横穴、６…スピンドル、７…付勢手段、８…筒状体、８’…開口、９…付勢手段、１０…筒状体、１０’…開口、１５…周面部、１７…切り欠き部、Ｄ…止水機構付ハンドシャワ（止水機構付給水具）、Ｈ…ホース。